(57)【要約】【課題】マウスを用いずにマウスと同様の操作性を有する入力装置及び入力プログラムを提供する。【解決手段】操作者がキーボードを操作しているとき、人差し指２３１と中指２３２とは、特に相関のない動きをする。一方、操作者が右手人差し指２３１と中指２３２を揃えて動かすと、その位置座標の変化は、高い相関を示す。そこで、右手人差し指２３１と中指２３２の相関を求め、相関が高くなったときにポインタ移動操作と判断して移動量に対応してディスプレイ上のポインタを移動させる。【選択図】図６
2008242881.tif 000002
【特許請求の範囲】
【請求項１】
キーボード上に置かれている手の画像を逐次撮像した画像データを取得する画像取得手段と、
前記画像取得手段により取得された画像データから、少なくとも２本の指に該当する領域をそれぞれ特定する指領域特定手段と、
前記指領域特定手段により特定された各指領域の位置座標を算出する位置算出手段と、
前記位置算出手段により算出された指位置が移動する移動方向、移動量、及び移動速度を検出する移動検出手段と、
前記位置算出手段により算出された各指位置の変化が前記２本の指について相関があるか否かを判断する相関判断手段と、
前記相関判断手段により相関があると判断された場合に、表示画面に表示され、操作対象を示すためのポインタを、前記移動検出手段により検出された検出結果に対応させて移動させるポインタ移動手段とを備えたことを特徴とする入力装置。
【請求項２】
前記指領域特定手段は、移動速度及び移動量により指領域を特定することを特徴とする請求項１に記載の入力装置。
【請求項３】
前記撮像手段は、２本の指に付されたマーカを含む手の画像を撮像し、
前記指領域特定手段は、前記画像データに含まれるマーカの領域を指領域として特定し、
前記位置算出手段は、前記マーカの位置を指領域の位置座標として算出することを特徴とする請求項１に記載の入力装置。
【請求項４】
前記２本の指は、予め指定された手の人差し指及び中指であることを特徴とする請求項１乃至３のいずれかに記載の入力装置。
【請求項５】
前記ポインタ移動手段による移動動作終了後所定時間内に、前記移動検出手段により前記２本の指の一方の移動が検出されず、かつ、他方の指の移動が検出された場合に、クリック動作がなされたと判定するクリック判定手段を備えたことを特徴とする請求項１乃至４のいずれかに記載の入力装置。
【請求項６】
前記移動検出手段により検出された移動速度が所定値以上であった場合に、前記ポインタを移動させないよう制御するポインタ移動規制手段を備えたことを特徴とする請求項１乃至５のいずれかに記載の入力装置。
【請求項７】
請求項１乃至６のいずれかに記載の入力装置の各種処理手段としてコンピュータを機能させるための入力プログラム。
【発明の詳細な説明】
【技術分野】
【０００１】
本発明は、入力装置及び入力プログラムに関するものであり、詳細には、キーボード上の指の動きを撮像した画像によりマウス操作を実現する入力装置及び入力プログラムに関するものである。
【背景技術】
【０００２】
一般に、パーソナルコンピュータにおいて、使用者の意図を入力する入力装置としては、文字の入力や特定操作の入力を行うキーボードと、画面上に表示されるポインタやアイコンを操作するためのポインティングデバイスが用いられている。そして、グラフィカルユーザインタフェース（ＧＵＩ）が一般的になるにつれて、ポインティングデバイスの重要性が増している。
【０００３】
ポインティングデバイスとしては、マウス、ポインティングスティック、タッチパッド、トラックボール等が知られている。中でも最も広く普及し操作性が高いとされているのはマウスである。マウスは、本体を手に持って水平に移動させ、ボールや赤外線等を利用したセンサで移動を感知し、二次元の移動距離をパーソナルコンピュータへ伝える。
【０００４】
このような操作性のよいマウスであるが、操作のためにはキーボードと別個の装置が必要であり、水平操作をするための場所も必要であることから、モバイルで利用するノートパソコンには適さないことも多い。このため、ノートパソコンでは、筐体内に設定できるポインティングスティックやタッチパッド等が用いられている。
【０００５】
一方、最近のパーソナルコンピュータにはＣＣＤカメラやビデオカメラ等の撮像部を備えたものがある。そこで、この撮像部から使用者の画像を撮像し、手等の部位を動かした移動量を算出して入力とする方法も提案されている（例えば、特許文献１，２参照）。
【特許文献１】特開平７−１４１１０１号公報
【特許文献２】特開２００４−７８９７７号公報
【発明の開示】
【発明が解決しようとする課題】
【０００６】
しかしながら、文書作成等でパーソナルコンピュータを使用している場合には、キーボードのホームポジションから手指を離したくないという要望がある。マウスを用いる方法や、上記の撮像画像による方法では、やはりキーボードから手を移動させる必要がある。ポインティングスティックがキーボード内に設置されている場合には、大きく手を動かす必要はないが、ポインティングスティックでマウスと同様に微妙な移動を実現することは操作性に難点があった。
【０００７】
本発明は上記問題を解決するためになされたものであり、キーボード上から手を移動させずマウスと同様の操作性を有する入力装置及び入力プログラムを提供することを目的とする。
【課題を解決するための手段】
【０００８】
上記目的を達成するために、本発明の請求項１に記載の入力装置は、キーボード上に置かれている手の画像を逐次撮像した画像データを取得する画像取得手段と、前記画像取得手段により取得された画像データから、少なくとも２本の指に該当する領域をそれぞれ特定する指領域特定手段と、前記指領域特定手段により特定された各指領域の位置座標を算出する位置算出手段と、前記位置算出手段により算出された指位置が移動する移動方向、移動量、及び移動速度を検出する移動検出手段と、前記位置算出手段により算出された各指位置の変化が前記２本の指について相関があるか否かを判断する相関判断手段と、前記相関判断手段により相関があると判断された場合に、表示画面に表示され、操作対象を示すためのポインタを、前記移動検出手段により検出された検出結果に対応させて移動させるポインタ移動手段とを備えたことを特徴とする。
【０００９】
また、本発明の請求項２に記載の入力装置は、請求項１に記載の発明の構成に加え、前記指領域特定手段が、移動速度及び移動量により指領域を特定することを特徴とする。
【００１０】
また、本発明の請求項３に記載の入力装置は、請求項１に記載の発明の構成に加え、前記撮像手段が、２本の指に付されたマーカを含む手の画像を撮像し、前記指領域特定手段は、前記画像データに含まれるマーカの領域を指領域として特定し、前記位置算出手段は、前記マーカの位置を指領域の位置座標として算出することを特徴とする。
【００１１】
また、本発明の請求項４に記載の入力装置は、請求項１乃至３のいずれかに記載の発明の構成に加え、前記２本の指が、予め指定された手の人差し指及び中指であることを特徴とする。
【００１２】
また、本発明の請求項５に記載の入力装置は、請求項１乃至４のいずれかに記載の発明の構成に加え、前記ポインタ移動手段による移動動作終了後所定時間内に、前記移動検出手段により前記２本の指の一方の移動が検出されず、かつ、他方の指の移動が検出された場合に、クリック動作がなされたと判定するクリック判定手段を備えたことを特徴とする。
【００１３】
また、本発明の請求項６に記載の入力装置は、請求項１乃至５のいずれかに記載の発明の構成に加え、前記移動検出手段により検出された移動速度が所定値以上であった場合に、前記ポインタを移動させないよう制御するポインタ移動規制手段を備えたことを特徴とする。
【００１４】
また、本発明の請求項７に記載の入力プログラムは、請求項１乃至６のいずれかに記載の発明の各種処理手段としてコンピュータを機能させる。
【発明の効果】
【００１５】
本発明の請求項１に記載の入力装置は、キーボード上の手の画像を撮像して逐次取得し、指の領域を特定して、少なくとも２本の指について注目し、その位置を算出する。そして、注目指の移動報告・移動量・移動速度を逐次取得した複数の画像に基づいて検出し、２本以上の指の位置変化が相関している場合、すなわち、２本の指を同期させて動かした場合には、表示画面上のポインタを移動させる。従って、キーボード上から手を動かすことなく２本以上の指を揃えて（同期させて）動かすだけでポインタを操作できる。このため、特別な装置やそれを動かすためのスペースが不要である。また、使用者が慣れたマウスと同様な操作が可能なので、細かい動きもすることができる。
【００１６】
また、本発明の請求項２に記載の入力装置は、請求項１に記載の発明の効果に加え、移動速度や移動量を逐次検出しているので、手の画像データ中、キーボード操作中の動きから指と手の甲を区別して指領域を特定することができる。すなわち、移動が大きい部位を指とし、移動が少ない部位を手の甲（指以外）とすることにより、指領域を特定できる。
【００１７】
また、本発明の請求項３に記載の入力装置は、請求項１に記載の発明の効果に加え、指にマーカをつけておけば、指の領域を特定するために動きを検出する必要がなく、撮像をマーカ部分に追従させることで簡単に特定ができる。さらに、カラーのマーカを用いれば、指ごとの識別も可能となる。従って、画像が暗いなどの理由で指の部分が画像からは特定しにくいような場合にも認知精度を高めることができる。
【００１８】
また、本発明の請求項４に記載の入力装置は、請求項１乃至３のいずれかに記載の発明の効果に加え、同期させて動く指は、マウス操作で慣れた人差し指及び中指とすれば、使用者に違和感を与えることなく処理が可能である。左右を指定すれば、左きき用のマウスも実現できる。
【００１９】
また、本発明の請求項５に記載の入力装置は、請求項１乃至４のいずれかに記載の発明の効果に加え、２本の指の一方を固定して他方を動かす動きによりクリックを実現できるので、クリックボタンを別途設ける必要がなく、指を特別な位置に動かす必要もない。
【００２０】
また、本発明の請求項６に記載の入力装置は、請求項１乃至５のいずれかに記載の発明の効果に加え、大きくポインタを動かしたい場合に、同期させた指を一旦移動させてから指を浮かせて元の位置に戻し、再び同じ方向に移動させる。このような動きで、指を浮かせて元の位置に戻したときは、指をスライドしたときよりも速度が速くなる。これを検知して、このような場合はポインタを追従させないようにする。これによって、マウス操作の際にマウスを浮かせて戻す操作と同様の操作が実現できる。
【００２１】
また、本発明の請求項７に記載の入力プログラムは、コンピュータに実行させることにより、請求項１乃至６のいずれかに記載の発明の各種処理手段としての作用効果を奏することができる。
【発明を実施するための最良の形態】
【００２２】
以下、本発明の実施の形態を図面を参照して説明する。まず、本発明の入力装置の物理的構成について図１を参照して説明する。図１は、本発明の入力装置として機能するパーソナルコンピュータ１の斜視図である。
【００２３】
図１に示すように、パーソナルコンピュータ１は、開閉式のノートブック型であり、本体側に各種の文字や記号、操作指示を入力するための複数の操作キーからなるキーボード４が設けられている。また、蓋側の中央に表示画面であるディスプレイ２が設けられ、上部にはＣＣＤ（Charge Coupled Device）カメラ３が設けられている。ＣＣＤカメラ３の上部には、調整リング５が設けられ、撮像対象であるキーボード４上の手２０（右手２１及び左手２２）を撮像する際のフォーカスの調整を調整リング５の回転操作により行うことができる。また、本体側の図１中右側面には他の機器と接続するためのＵＳＢ（Universal Serial Bus）コネクタ８が設けられている。
【００２４】
次に、図２及び図３を参照して、パーソナルコンピュータ１の電気的構成について説明する。図２は、パーソナルコンピュータ１の電気的構成を示すブロック図である。図３は、ＲＡＭ１２の構成を示す模式図である。図２に示すように、パーソナルコンピュータ１は、その制御部５０内に、パーソナルコンピュータ１の各種機能の全体を制御するＣＰＵ１０が設けられている。ＣＰＵ１０には、本発明の入力プログラムの他、パーソナルコンピュータ１を動作させるための各種プログラム等を記憶したＲＯＭ１１と、各種のデータを一時的に記憶するＲＡＭ１２と、現在時刻を計測する時計１３と、時間の経過を計測するタイマ１８と、Ｉ／Ｏインタフェイス１４とがバスを介して接続されている。Ｉ／Ｏインタフェイス１４には、ディスプレイ１０及びＣＣＤカメラ３の制御を行うビデオコントローラ１６と、キーボード４を制御するキーコントローラ１７と、記憶装置であるハードディスク装置（ＨＤＤ）１５と、外部機器を接続するためのＵＳＢコネクタ８とが接続されている。
【００２５】
図３に示すように、ＲＡＭ１２には、取込画像記憶エリア１２１，指位置記憶エリア１２２，移動フラグ記憶エリア１２３が少なくとも設けられている。取込画像記憶エリア１２１には、ＣＣＤカメラ３が撮像したキーボード４の画像を所定時間ごとに取り込んだ画像データが順次記憶される。また、指位置記憶エリア１２２には、取り込んだ画像から抽出された右手人差し指と中指の位置座標が順次記憶される。さらに、移動フラグ記憶エリア１２３には、右手人差し指と中指が同期して移動され(移動の相関が高かった場合)、ポインタを移動した場合に「ＯＮ」とされる移動フラグが記憶される。この移動フラグがＯＮとなっているときに、所定時間内に右手人差し指と中指が同期せずに移動すると、左クリック又は右クリックと判断される。
【００２６】
次に、図４〜図９を参照して、上記のように構成されたパーソナルコンピュータ１が入力装置として機能する概要について説明する。図４は、撮像画像の例を示す説明図である。図５は、キーボード操作時の指の動きの例を示す説明図である。図６は、ポインタ移動操作時の指の動きの例を示す説明図である。図７は、左クリック操作時の指の動きの例を示す説明図である。図８は、右クリック操作時の指の動きの例を示す説明図である。図９は、高速移動時の手の動きの例を示す説明図である。
【００２７】
図４に示すように、ＣＣＤカメラ３は、キーボード４周辺のみを大きく撮像する。撮像対象としたいのはキーボード４上の手２０の部分であるから、キーボード４を手２０と識別しやすい色、例えば黒にすることが好ましい。このようにすれば、手２０のコントラストが高くなるため、手の部分を容易に抽出することができる。また、キーボード４を操作する場合、右手２１及び左手２２は、ホームポジションに固定され、指部２３が例えば図４に示す矢印のように激しく移動する。本実施形態では、所定時間間隔でＣＣＤカメラ３が撮像した画像を比較するので、移動量が大きい部分や移動速度が速い部分を指部２３として抽出することができる。
【００２８】
操作者は、右手の人差し指２３１と中指２３２の動きにより、マウスのようなポインタ移動操作を行う。例えば、図５に示すように、キーボード４を操作しているとき、人差し指２３１と中指２３２とは、特に相関のない動きをするのが通例である。ここで、操作者が、図６に示すように右手人差し指２３１と中指２３２を揃えて動かす。すると、その位置座標の変化は、高い相関を示す。そこで、右手人差し指２３１と中指２３２の相関を求め、相関が高くなったときにポインタ移動操作と判断して移動量に対応してディスプレイ２上のポインタを移動させる。
【００２９】
また、マウスのクリック操作については、通常ポインタ移動の直後に実行されることが多いことから、ポインタ移動が行われた後、所定時間内に一方の指を固定して他方の指を動かした場合にクリック操作と判断する。例えば、図７に示すように、ポインタ移動操作の後に右手中指２３２を固定（図７中、黒丸印で示す）し、人差し指２３１を動かした（図７中、矢印で示す）場合、左クリックと判断する。また、図８に示すように、ポインタ移動操作の後に人差し指２３１を固定（図８中、黒丸印で示す）し、右手中指２３２を動かした（図８中、矢印で示す）場合、右クリックと判断する。
【００３０】
さらに、通常のマウス操作で、ポインタを大きく動かしたい場合、一度マウスを浮かせて戻し、再度動かす操作が行われる（図９参照）。このような操作を操作者がキーボード４上で右手人差し指２３１と中指２３２により行なった場合、指を浮かせて戻したかどうかを画像から判別することは難しいが、浮かせて戻したときは、通常よりも移動速度が速くなることを利用して、右手人差し指２３１と中指２３２の移動速度が一定以上になったらポインタを移動させないようにすればよい。
【００３１】
次に、以上概略説明した本実施形態の動作について、図１０のフローチャートを参照して説明する。図１０は、入力操作処理の流れを示すフローチャートである。尚、このフローチャートで示す処理は一例であり、処理のステップはこれに限られるものではない。
【００３２】
ＲＯＭ１１に記憶されている入力プログラムがＲＡＭ１２に読み込まれて起動されると、ＣＰＵ１０により、図１０に示す処理が開始される。まず、撮像画像の取り込みタイミングかどうかを判断する（Ｓ１）。本実施形態では、所定間隔でＣＣＤカメラ３からの画像を取り込み、以下の処理を実行する。取り込みタイミングでなければ（Ｓ１：ＮＯ）、取り込みタイミングになるまで待機する。
【００３３】
取り込みタイミングになったら（Ｓ１：ＹＥＳ）、ＣＣＤカメラ３からの画像を取り込み、ＲＡＭ１２の取込画像記憶エリア１２１に記憶する（Ｓ５）。取込画像記憶エリア１２１に記憶される画像は、１個だけで毎回更新するのではなく、予め定められた数だけ、取り込み時刻と対応させて順次記憶される。
【００３４】
次に、取込画像記憶エリア１２１内に記憶されている従前の画像と現在取り込んだ画像を比較し、移動速度や移動量の大きい部分を指領域として抽出する（Ｓ１０）。従前の画像は、複数個を順に比較するようにしてもよい。また、従前の画像がない場合は、抽出が不可能であるから、Ｓ１に戻る（図示外）。
【００３５】
次に、右手の人差し指２３１及び中指２３２の位置座標を算出し、ＲＡＭ１２の指位置記憶エリア１２２に記憶する（Ｓ１５）。ここで、人差し指２３１の座標をＡ(xa,ya)、中指２３２の座標をＢ(xb,yb)とする。指位置記憶エリア１２２に記憶される位置座標も、取込画像と同様に、毎回更新するのではなく、予め定められた数だけ、取り込み時刻と対応させて順次記憶される。位置座標としては、例えば指の先端の座標とする。座標は、Ｓ１０で抽出された指領域の中から、指の並び順により判断すればよい。
【００３６】
次に、指位置記憶エリア１２２内に記憶されている従前の位置座標と現在の位置座標から人差し指２３１及び中指２３２それぞれの移動量及び移動方向を算出する（Ｓ２０）。
【００３７】
次に、Ｓ２０で算出した移動量及び移動方向（ベクトル変化量）からベクトル相関係数ρを算出する（Ｓ２５）。ベクトル相関係数ρは、周知の以下の式により求められる。
【数１】
2008242881.tif 000003
または、より単純には座標Ａ、Ｂに各のX軸、Y軸の変化からX軸、Y軸に対する各相関係数ρx、ρｙを求めこれらを掛け合わせた値または足した値をρとしても良い。
【００３８】
次に、Ｓ２５で求めた相関係数により、相関があるか否かを判断する（Ｓ３０）。相関係数ρが０に近ければ相関はなく、１に近ければ相関が高い。相関がある場合には（Ｓ３０：ＹＥＳ）、次に、座標Ａ、Ｂの移動速度を算出する（Ｓ３５）。指位置記憶エリア１２２には、取込時刻に対応した座標が記憶されているので、ここから移動速度は算出できる。
【００３９】
そして、算出された移動速度が所定速度以上であるか否かを判断する（Ｓ４０）。所定速度以上の場合には（Ｓ４０：ＹＥＳ）、先に図９を参照して説明した大きくポインタを移動させる場合の操作と考えられるので、そのままＳ１に戻る。尚、指を移動させる速度は操作者によって異なるので、所定速度を操作者が設定可能にしてもよい。
【００４０】
所定速度以上でない場合には（Ｓ４０：ＮＯ）、Ｓ２０で算出した移動量・移動方向（ベクトル）に従って、ディスプレイ２上のポインタを移動させる（Ｓ４５）。そして、ポインタを移動させたことを示す移動フラグをＯＮにして（Ｓ５０）、クリック操作の有無を判断するための経過時間を計測するために、タイマ１８をスタートさせる（Ｓ５５）。そしてＳ１に戻り、上記の処理を繰り返す。
【００４１】
一方、Ｓ３０で相関がなかった場合には（Ｓ３０：ＮＯ）、次に移動フラグがＯＮになっているかどうかを判断する（Ｓ６０）。移動フラグがＯＮでなければ（Ｓ６０：ＮＯ）、ポインタ移動（Ｓ４５）後の操作ではないので、通常のキーボード操作と考えられるため、そのままＳ１に戻る。移動フラグがＯＮの場合には（Ｓ６０：ＹＥＳ）、次に、タイマ１８が所定時間内かどうかを判断する（Ｓ６５）。タイマが所定時間内でなければ（Ｓ６５：ＮＯ）、そのままＳ１に戻る。
【００４２】
タイマが所定時間内の場合には（Ｓ６５：ＹＥＳ）、クリック操作の可能性があるので、まず、タイマと移動フラグをＯＦＦにする（Ｓ７０）。そして、人差し指２３１が移動したかどうかを指位置記憶エリア１２２に記憶されている位置座標から判断する（Ｓ７５）。人差し指移動であれば（Ｓ７５：ＹＥＳ）、左クリック操作を実行し（Ｓ８０）、Ｓ１に戻る。人差し指移動でなければ（Ｓ７５：ＮＯ）、中指２３２が移動したかどうかを指位置記憶エリア１２２に記憶されている位置座標から判断する（Ｓ８５）。中指移動であれば（Ｓ８５：ＹＥＳ）、右クリック操作を実行し（Ｓ９０）、Ｓ１に戻る。中指移動でもなければ（Ｓ８５：ＮＯ）、そのままＳ１に戻る。
【００４３】
以上説明したように、本実施形態によれば、キーボード４上の手の動きを撮像し、その画像から、右手の人差し指２３１と中指２３２が相関を持って移動したときにポインタを移動させる。さらに、ポインタ移動後所定時間内に相関のない動きがあれば、それが人差し指２３１であれば左クリックとし、中指２３２であれば右クリックとする。また、相関のある動きであっても、所定速度以上の動きであれば、大きな移動をしたいと考えてポインタを動かさない。このように、撮像画像データから抽出した指の動きにより、通常のマウスと同様の操作性でマウス本体のためのスペースを必要とせずにポインタの移動を実現することができる。
【００４４】
尚、上記実施形態では、指領域の抽出を移動量や速度、指の並び順から判断していたが、指にマーカをつけて指の位置をより正確に把握できるようにしてもよい。図１１は、人差し指２３１と中指２３２の爪に円形シールのマーカ３００を貼った例を示す説明図である。この場合、位置座標はマーカ３００の座標を求めればよい。さらに、人差し指２３１と中指２３２に貼るシールの色を変えることにより、指の違いも認識が容易となる。このようにマーカ３００を用いることで、照度の異なる環境下でも精度を高めることができる。マーカ３００は、シールに限らず、画像認識が可能な物であればよい。例えば、指に嵌めるリング型のものや指サックのようなものでも良い。
【００４５】
また、パーソナルコンピュータ１は、ノートブック型に限らず、デスクトップ型であってもよい。さらに通常にマウス動作に近い使い方としてキーボード横に手を置いて操作する方法もある。これらの場合はカメラを下を向けて固定するジグがあればよく、その他に新たに追加する要素は無い。このような構成の場合でも手の動作が少なく効率的であるとともに操作性も高く、さらにマウス本体が不要なため狭いスペースでマウス操作が可能な入力装置を提供できる。
【００４６】
尚、上記実施形態において、図９のＳ５で撮像画像を取り込むＣＰＵ１０が本発明の画像取得手段に相当する。また、図９のＳ１０で指領域を抽出するＣＰＵ１０が本発明の指領域特定手段に相当する。また、図９のＳ１５で位置座標を算出するＣＰＵ１０が本発明の位置算出手段に相当する。また、図９のＳ２０で２本の指の移動量・移動方向を算出し、Ｓ３５で移動速度を算出するＣＰＵ１０が本発明の移動検出手段に相当する。また、図９のＳ３０で相関係数に基づき相関を判断するＣＰＵ１０が本発明の相関判断手段に相当する。また、図９のＳ４５でポインタを移動させるＣＰＵ１０が本発明のポインタ移動手段に相当する。また、図９のＳ７５及びＳ８５で移動フラグＯＮ時の指移動を判断するＣＰＵ１０が本発明のクリック判定手段に相当する。また、図９のＳ４０で所定速度以上の場合に何も処理せずにＳ１に戻るＣＰＵ１０が本発明のポインタ移動規制手段に相当する。
【図面の簡単な説明】
【００４７】
【図１】本発明の入力装置として機能するパーソナルコンピュータ１の斜視図である。
【図２】パーソナルコンピュータ１の電気的構成を示すブロック図である。
【図３】ＲＡＭ１２の構成を示す模式図である。
【図４】撮像画像の例を示す説明図である。
【図５】キーボード操作時の指の動きの例を示す説明図である。
【図６】ポインタ移動操作時の指の動きの例を示す説明図である。
【図７】左クリック操作時の指の動きの例を示す説明図である。
【図８】右クリック操作時の指の動きの例を示す説明図である。
【図９】高速移動時の手の動きの例を示す説明図である。
【図１０】入力操作処理の流れを示すフローチャートである。
【図１１】人差し指２３１と中指２３２の爪に円形シールのマーカ３００を貼った例を示す説明図である。
【符号の説明】
【００４８】
１      パーソナルコンピュータ
３      ＣＣＤカメラ
４      キーボード
１０      ＣＰＵ
１１      ＲＯＭ
１２      ＲＡＭ
１２１      取込画像記憶エリア
１２２      指位置記憶エリア
１２３      移動フラグ記憶エリア
１８      タイマ
２０      手
２１      右手
２３      指部
５０      制御部
２３１      右手人差し指
２３２      右手中指
３００      マーカ
【図１】
2008242881.tif 000004
【図２】
2008242881.tif 000005
【図３】
2008242881.tif 000006
【図４】
2008242881.tif 000007
【図５】
2008242881.tif 000008
【図６】
2008242881.tif 000009
【図７】
2008242881.tif 000010
【図８】
2008242881.tif 000011
【図９】
2008242881.tif 000012
【図１０】
2008242881.tif 000013
【図１１】
2008242881.tif 000014